(57)【要約】【課題】ドライバに与える違和感を軽減することができる運転支援装置を提供する。【解決手段】  運転支援装置１のＥＣＵ７は、自車両の現在位置と地図データベース１３の情報とに基づいて、目標車速設定地点での自車両の目標車速等を演算するパラメータ演算部８と、車速センサ５により検出された車速及び目標車速等に基づいて、自車両の目標減速度を演算すると共に、その目標減速度から減速アシスト制御量の変更回数を決定する目標減速度演算部１０と、目標減速度演算部１０により求められた目標減速度及び車速センサ５により検出された車速に基づいて、シフト段数及びブレーキ制御量を演算する制駆動配分演算部１１と、シフト段数及びブレーキ制御量に応じてシフト及びブレーキを制御する車両制御部１２とを有している。目標減速度演算部１０は、目標減速度が高いほど減速アシスト制御量の変更回数を少なくする。【選択図】図１
2011000952.tif 000002
【特許請求の範囲】
【請求項１】
自車の車速を検出する車速検出手段と、
前記自車が走行するルートの所定位置での目標車速を設定する車速設定手段と、
前記自車の車速と前記目標車速とに基づいて、前記自車の目標加減速制御量を演算する制御量演算手段と、
前記目標加減速制御量に応じて前記自車の加減速制御を行う制御手段と、
前記目標加減速制御量を変更する回数を決定する変更回数決定手段とを備え、
前記変更回数決定手段は、前記制御量演算手段により演算された目標加減速制御量が大きいほど、前記目標加減速制御量を変更する回数を少なくすることを特徴とする運転支援装置。
【請求項２】
前記自車の運転者の加減速操作を検出する操作検出手段を更に備え、
前記制御手段は、前記自車の加減速制御の実行中に、前記操作検出手段により前記自車の加減速動作と一致する前記加減速操作が検出されたときは、前記運転者の加減速操作が終了するまで前記自車の加減速制御を継続することを特徴とする請求項１記載の運転支援装置。
【請求項３】
前記自車が走行するルートの道路環境を検出する道路環境検出手段を更に備え、
前記車速設定手段は、前記自車が走行するルートの道路環境に応じた前記目標車速を設定することを特徴とする請求項１または２記載の運転支援装置。
【請求項４】
前記道路環境検出手段は、前記自車が走行するルートの道路環境として減速要因を検出し、
前記車速設定手段は、前記自車が走行するルートにおける前記減速要因の手前位置での前記目標車速を設定し、
前記制御手段は、前記目標加減速制御量に応じて、変速機の変速段及びブレーキ油圧を変更して前記自車の減速制御を行うことを特徴とする請求項３記載の運転支援装置。
【発明の詳細な説明】
【技術分野】
【０００１】
本発明は、車両の加減速制御を行う運転支援装置に関するものである。
【背景技術】
【０００２】
従来の運転支援装置としては、例えば特許文献１に記載されているものが知られている。特許文献１に記載の運転支援装置は、車両の周囲情報及び運転者の意図に基づいて車両の目標減速度を決定し、この目標減速度に基づいて変速機の変速段と補助制動力とを決定し、この決定結果に応じて変速機及びブレーキを制御することで、車両の減速制御を行うというものである。
【先行技術文献】
【特許文献】
【０００３】
【特許文献１】特開平１１−６３２１１号公報
【発明の概要】
【発明が解決しようとする課題】
【０００４】
しかしながら、上記従来技術においては、最初に決定された目標減速度が大きい場合に、減速制御の実行中に減速制御量が変更されると、ドライバに違和感を与えるおそれがある。
【０００５】
本発明の目的は、ドライバに与える違和感を軽減することができる運転支援装置を提供することである。
【課題を解決するための手段】
【０００６】
本発明の運転支援装置は、自車の車速を検出する車速検出手段と、自車が走行するルートの所定位置での目標車速を設定する車速設定手段と、自車の車速と目標車速とに基づいて、自車の目標加減速制御量を演算する制御量演算手段と、目標加減速制御量に応じて自車の加減速制御を行う制御手段と、目標加減速制御量を変更する回数を決定する変更回数決定手段とを備え、変更回数決定手段は、制御量演算手段により演算された目標加減速制御量が大きいほど、目標加減速制御量を変更する回数を少なくすることを特徴とするものである。
【０００７】
このような運転支援装置においては、自車の車速を検出すると共に、自車が走行するルートの所定位置での目標車速を設定し、これら自車の車速及び目標車速に基づいて、自車の目標加減速制御量を演算し、その目標加減速制御量に応じて自車の加減速制御を行う。このとき、目標加減速制御量が大きい場合には、自車の加減速制御の実行中に目標加減速制御量を変更すると、ドライバにとって違和感が生じることがある。そこで、最初に演算された目標加減速制御量が大きいほど、目標加減速制御量を変更する回数を少なくすることにより、ドライバに与える違和感を軽減することができる。
【０００８】
好ましくは、自車の運転者の加減速操作を検出する操作検出手段を更に備え、制御手段は、自車の加減速制御の実行中に、操作検出手段により自車の加減速動作と一致する加減速操作が検出されたときは、運転者の加減速操作が終了するまで自車の加減速制御を継続する。
【０００９】
自車の運転者が加減速操作を行っている最中に、自車の加減速制御を終了させると、自車の加減速度が変化し、ドライバにとって違和感が生じることがある。そこで、自車の減速制御の実行中に運転者の減速操作が検出されたときは、その減速操作が終了するまで自車の減速制御を継続し、自車の加速制御の実行中に運転者の加速操作が検出されたときは、その加速操作が終了するまで自車の加速制御を継続する。これにより、ドライバに与える違和感をより軽減することができる。
【００１０】
また、好ましくは、自車が走行するルートの道路環境を検出する道路環境検出手段を更に備え、車速設定手段は、自車が走行するルートの道路環境に応じた目標車速を設定する。
【００１１】
このように自車が走行するルートの道路環境を検出することにより、道路環境に適した理想的な目標車速を設定することができる。なお、道路環境としては、例えばカーブ等の減速要因、制限速度や道幅、歩行者の有無、交差点、悪路等が含まれる。
【００１２】
このとき、道路環境検出手段は、自車が走行するルートの道路環境として減速要因を検出し、車速設定手段は、自車が走行するルートにおける減速要因の手前位置での目標車速を設定し、制御手段は、目標加減速制御量に応じて、変速機の変速段及びブレーキ油圧を変更して自車の減速制御を行うことが好ましい。
【００１３】
自車が走行するルートにおける減速要因（カーブ等）の手前位置での目標車速を設定することにより、自車はカーブ等を適切な速度で走行することができる。また、変速機の変速段及びブレーキ油圧を変更して自車の減速制御を行うことにより、自車の減速制御を安定化させることができる。
【発明の効果】
【００１４】
本発明によれば、自車の加減速制御を行う際に、ドライバに与える違和感を軽減することができる。これにより、ドライバにとって十分に安心感のある走行を実現することが可能となる。
【図面の簡単な説明】
【００１５】
【図１】本発明に係わる運転支援装置の一実施形態の構成を示すブロック図である。
【図２】カーブ手前の目標車速設定地点の一例を示す図である。
【図３】図１に示したＥＣＵにより実行される減速アシスト制御処理手順を示すフローチャートである。
【図４】図３に示した減速制御開始条件判断処理の手順の詳細を示すフローチャートである。
【図５】減速アシスト制御量の変更回数の一例を示すグラフである。
【図６】図３に示した減速制御終了条件判断処理の手順の詳細を示すフローチャートである。
【図７】自車両の減速アシスト制御のイメージを示すタイミング図である。
【発明を実施するための形態】
【００１６】
以下、本発明に係わる運転支援装置の好適な実施形態について、図面を参照して詳細に説明する。
【００１７】
図１は、本発明に係わる運転支援装置の一実施形態の構成を示すブロック図である。同図において、本実施形態の運転支援装置１は、自車両の減速アシスト制御に関する運転支援を行う装置である。
【００１８】
運転支援装置１は、自車両のアクセル開度を検出するアクセル開度センサ２と、自車両のブレーキペダルの操作量（踏込量）を検出するブレーキセンサ３と、ＧＰＳ（Global Positioning System）衛星からの電波を受信し、自車両の現在位置を緯度・経度の座標データとして取得するＧＰＳ受信機４と、自車両の車速を検出する車速センサ５と、自車両のシフト（変速機）のポジションを検出するシフトポジションセンサ６と、ＥＣＵ（Electronic Control Unit）７とを備えている。
【００１９】
ＥＣＵ７は、ＣＰＵ、ＲＯＭやＲＡＭ等のメモリ及び入出力回路等により構成されている。ＥＣＵ７は、パラメータ演算部８と、制御モード判断部９と、目標減速度演算部１０と、制駆動配分演算部１１と、車両制御部１２と、地図情報を格納した地図データベース１３とを有している。
【００２０】
地図データベース１３には、カーブや下り坂等の減速要因の手前の地点における目標速度が予め記憶されている。なお、目標速度は、過去の走行を基にした学習により取得しても良い。
【００２１】
パラメータ演算部８は、ＧＰＳ受信機４により取得された自車両の現在位置と地図データベース１３の情報とに基づいて、図２に示すような目標車速設定地点（例えばカーブ等の減速要因の手前５ｍの地点）Ｐでの自車両の目標車速Ｖref、目標車速設定地点Ｐまでの残距離ｓ、目標車速設定地点Ｐまでの平均路面勾配θを演算する。なお、路面勾配は、自車両の現在位置と目標車速設定地点Ｐとの高度差から求められる。
【００２２】
制御モード判断部９は、アクセル開度センサ２により検出された自車両のアクセル開度、ブレーキセンサ３により検出されたブレーキペダルの操作量、車速センサ５により検出された自車両の車速Ｖ０、パラメータ演算部８により求められた目標車速設定地点Ｐでの自車両の目標車速Ｖref及び目標車速設定地点までの残距離ｓに基づいて、減速アシスト制御の開始条件または終了条件を満たしているかどうかを判断する。
【００２３】
目標減速度演算部１０は、車速センサ５により検出された自車両の車速Ｖ０、パラメータ演算部８により求められた目標車速設定地点Ｐでの自車両の目標車速Ｖref、目標車速設定地点Ｐまでの残距離ｓ及び平均路面勾配θに基づいて、自車両の目標減速度を演算する。また、目標減速度演算部１０は、その目標減速度から減速アシスト制御量の演算回数（変更回数）を決定する。
【００２４】
制駆動配分演算部１１は、目標減速度演算部１０により求められた目標減速度、車速センサ５により検出された自車両の車速Ｖ０、シフトポジションセンサ６により検出されたシフトのポジションに基づいて、減速アシスト制御量としてシフトの変速段数（シフト段数）及びブレーキ油圧の制御量（ブレーキ制御量）を演算する。
【００２５】
車両制御部１２は、制駆動配分演算部１１により求められたシフト段数及びブレーキ制御量に応じて、シフト及びブレーキをそれぞれ制御する。
【００２６】
図３は、ＥＣＵ７により実行される減速アシスト制御処理手順を示すフローチャートである。同図において、まず減速アシスト制御の開始条件を満たしているかどうかを判断する（手順Ｓ２１）。この制御開始条件判断処理の手順の詳細を図４に示す。
【００２７】
図４において、まずアクセル開度センサ２により検出されたアクセル開度がゼロ（アクセルＯＦＦ）であるかどうかを判定する（手順Ｓ５１）。アクセル開度がゼロであるときは、パラメータ演算部８により求められた目標車速設定地点Ｐまでの残距離ｓが閾値以下であるかどうかを判定する（手順Ｓ５２）。目標車速設定地点Ｐまでの残距離ｓが閾値以下であるときは、車速センサ５により検出された車速Ｖ０とパラメータ演算部８により求められた目標車速Ｖrefとの車速差が閾値以上であるかどうかを判定する（手順Ｓ５３）。車速Ｖ０と目標車速Ｖrefとの車速差が閾値以上であるときは、減速アシスト制御の開始条件を満たしていると判断する（手順Ｓ５４）。
【００２８】
一方、手順Ｓ５１でアクセル開度がゼロでないと判定されたとき、手順Ｓ５２で目標車速設定地点Ｐまでの残距離ｓが閾値以下でないと判定されたとき、手順Ｓ５３で車速Ｖ０と目標車速Ｖrefとの車速差が閾値以上でないと判定されたときは、減速アシスト制御の開始条件を満たしていないと判断する（手順Ｓ５５）。
【００２９】
図３に戻り、手順Ｓ２１で減速アシスト制御の開始条件を満たしていると判断されたときは、下記式を用いて目標減速度を計算する（手順Ｓ２２）。
【数１】
2011000952.tif 000003
なお、減速アシスト率及び登降坂アシスト率は、ドライバに積極的にブレーキペダルを踏ませる為のものであり、予め設定された値となっている。
【００３０】
続いて、減速アシスト制御量の変更回数（更新回数）が決定しているかどうかを判断し（手順Ｓ２３）、減速アシスト制御量の変更回数が決定していないときは、減速アシスト制御量の変更回数を設定する（手順Ｓ２４）。
【００３１】
このとき、手順Ｓ２２で求められた目標減速度が高いときは、途中で減速度を変化させると運転者に違和感を与えるおそれがあるため、目標減速度が高いほど減速アシスト制御量の変更回数を少なくする。例えば図５に示すように、目標減速度が高いときは、減速アシスト制御量の変更回数を１回とし、目標減速度が低くなるに従い、減速アシスト制御量の変更回数を２回、３回と多くする。なお、減速アシスト制御量の変更回数を設定する際には、路面勾配による加減速分を一定量補償するのが望ましい。
【００３２】
また、減速アシスト制御量の変更回数が２回以上あるときは、減速アシスト制御量の変更タイミングも設定しておく。減速アシスト制御量の変更タイミングは、目標車速設定地点Ｐまでの残距離ｓによって決定する。例えば減速アシスト制御量の変更回数が２回のときは、減速アシスト制御量の変更タイミング地点を目標車速設定地点Ｐまでの残距離ｓの中間位置に設定する。ただし、目標車速設定地点Ｐまでの残距離ｓが短すぎるときは、減速アシスト制御量を変更しないようにしても良い。
【００３３】
手順Ｓ２３で減速アシスト制御量の変更回数が決定していると判断されたとき、または手順Ｓ２４で減速アシスト制御量の変更回数を設定したときは、手順Ｓ２２で求められた目標減速度、車速センサ５により検出された車速Ｖ０、シフトポジションセンサ６により検出されたシフトのポジションに基づいて、シフトによる推定減速度を計算する（手順Ｓ２５）。そして、そのシフトによる推定減速度から、目標減速度を越えない最適なシフト段数を選択する（手順Ｓ２６）。続いて、目標減速度からシフトによる推定減速度を差し引くことで、ブレーキ制御量を求める（手順Ｓ２７）。
【００３４】
このとき、出来る限りダウンシフトによるエンジンブレーキを活用することで、ブレーキパッドの摩耗を抑えるようにする。ただし、目標車速設定地点Ｐまでの残距離ｓが短い場合には、シフト制御を行っても、実際に減速度が発生するまでに目標車速設定地点Ｐを越えてしまう可能性がある。従って、そのような場合には、シフト制御を行わないようにする。また、目標車速設定地点Ｐまでの残距離ｓが長く、目標減速度が小さい場合には、ブレーキ制御を行うと緩ブレーキ状態となり、ブレーキ制御を行わない運転に比べてパッド摩耗が進む可能性がある。従って、そのような場合には、ブレーキ制御を行わないようにする。
【００３５】
続いて、手順Ｓ２６で選択されたシフト段数及び手順Ｓ２７で求められたブレーキ制御量に応じた制御指令値をそれぞれ決定し、各制御指令値をシフト及びブレーキに送出することで、シフトの変速段数及びブレーキ油圧を制御する（手順Ｓ２８）。
【００３６】
続いて、減速アシスト制御の終了条件を満たしているかどうかを判断する（手順Ｓ２９）。この制御終了条件判断処理の手順の詳細を図６に示す。
【００３７】
図６において、まずブレーキセンサ３により検出されたブレーキペダルの操作量がゼロ（ブレーキＯＦＦ）であるかどうかを判定する（手順Ｓ６１）。ブレーキペダルの操作量がゼロであるときは、ＧＰＳ受信機４により取得された自車両の現在位置に基づいて、自車両が目標車速設定地点Ｐを通過したかどうかを判定する（手順Ｓ６２）。自車両が目標車速設定地点Ｐを通過したときは、減速アシスト制御の終了条件を満たしていると判断する（手順Ｓ６３）。
【００３８】
一方、手順Ｓ６１でブレーキペダルの操作量がゼロでない（ブレーキＯＮ）と判定されたとき、手順Ｓ６２で自車両が目標車速設定地点Ｐを通過していないと判定されたときは、減速アシスト制御の終了条件を満たしていないと判断する（手順Ｓ６４）。
【００３９】
図３に戻り、手順Ｓ２９で減速アシスト制御の終了条件を満たしていないと判断されたときは、ＧＰＳ受信機４により取得された自車両の現在位置に基づいて、減速アシスト制御量の変更タイミングかどうかを判断する（手順Ｓ３０）。減速アシスト制御量の変更タイミングであるときは、手順Ｓ２２に戻り、減速アシスト制御量の変更タイミングでないときは、手順Ｓ２９に戻る。
【００４０】
一方、手順Ｓ２９で減速アシスト制御の終了条件を満たしていると判断されたときは、自車両の減速アシスト制御処理を終了する。このとき、シフト段数が低いままでは、減速動作が続いて燃費を悪化させるため、減速アシスト制御終了前にシフト段数を上げておく。また、ブレーキが急に抜かれると、運転者に違和感を与えるおそれがあるため、減速アシスト制御終了時にブレーキ量を徐減する。
【００４１】
ここで、手順Ｓ２１は、パラメータ演算部８及び制御モード判断部９により実行される。手順Ｓ２２〜Ｓ２４は、パラメータ演算部８及び目標減速度演算部１０により実行される。手順Ｓ２５〜Ｓ２７は、制駆動配分演算部１１により実行される。手順Ｓ２８は、車両制御部１２により実行される。手順Ｓ２９は、パラメータ演算部８及び制御モード判断部９により実行される。手順Ｓ３０は、パラメータ演算部８により実行される。
【００４２】
以上において、車速センサ５は、自車の車速を検出する車速検出手段を構成する。ＧＰＳ受信機４とＥＣＵ７のパラメータ演算部８及び地図データベース１３とは、自車が走行するルートの所定位置での目標車速を設定する車速設定手段を構成する。ＥＣＵ７の目標減速度演算部１０（図３の手順Ｓ２２）及び制駆動配分演算部１１は、自車の車速と目標車速とに基づいて、自車の目標加減速制御量を演算する制御量演算手段を構成する。ＥＣＵ７のパラメータ演算部８、制御モード判断部９（図３の手順Ｓ２９）及び車両制御部１２は、目標加減速制御量に応じて自車の加減速制御を行う制御手段を構成する。ＥＣＵ７の目標減速度演算部１０（図３の手順Ｓ２３，Ｓ２４）は、目標加減速制御量を変更する回数を決定する変更回数決定手段を構成する。
【００４３】
アクセル開度センサ２及びブレーキセンサ３は、自車の運転者の加減速操作を検出する操作検出手段を構成する。地図データベース１３は、自車が走行するルートの道路環境を検出する道路環境検出手段を構成する。
【００４４】
図７は、自車両の減速アシスト制御のイメージを示すタイミング図である。本例では、減速アシスト制御量の変更（更新）回数を２回としている。
【００４５】
同図において、自車両が制御開始地点に達すると、アクセル操作がＯＮからＯＦＦとなると共に、シフト段数が６速から５速に下がり、ブレーキ制御量がゼロから上昇する。すると、自車両が目標車速設定地点Ｐに近づくにつれて、自車両の車速が徐々に目標車速に近づいていく。
【００４６】
そして、ブレーキ操作がＯＦＦからＯＮに切り換わった後、自車両が減速アシスト制御量の変更タイミング地点に達すると、シフト段数が５速から４速に下がり、ブレーキ制御量が更に上昇する。すると、自車両の車速が更に目標車速に近づくようになる。
【００４７】
その後、自車両が目標車速設定地点Ｐに達しても、ブレーキ操作がＯＮ状態となっているため、減速アシスト制御はそのまま継続される。その後、ブレーキ操作がＯＮからＯＦＦに切り換わると、減速アシスト制御が終了する。このとき、シフト段数が４速から６速に上がり、ブレーキ制御量がゼロとなる。
【００４８】
ところで、フィードバック制御等により減速アシスト制御量を連続的に変化させると、ドライバが自身のブレーキ操作量とは異なる減速感を感じ、違和感が生じる。減速アシスト制御量を固定すると、ドライバはエンジンブレーキのような減速感を感じるようになり、安心感をもったブレーキ操作が可能となる。このとき、減速アシスト制御量を固定したままでは、目標車速設定地点Ｐにおいて自車両が目標車速に対してオーバースピード状態となることがあるため、目標車速設定地点Ｐまでの残距離ｓに応じて減速アシスト制御量を段階的に変えるようにする。ただし、目標減速度が大きい場合には、途中で減速アシスト制御量を変更すると、ドライバにとって違和感が生じる。
【００４９】
これに対し本実施形態では、目標減速度が大きいほど減速アシスト制御量の変更（更新）回数を少なくするようにしたので、精度の高い減速アシスト制御を行いつつ、ドライバに違和感を与えることが抑制されるようになる。
【００５０】
また、ドライバがブレーキペダルを踏んでいる間に減速アシスト制御を終了させると、減速度が変化し、ドライバにとって違和感が生じる。本実施形態では、減速アシスト制御の実行中にドライバがブレーキペダルを踏んだときは、ドライバがブレーキペダルを離すまで減速アシスト制御を継続して行うので、ドライバに違和感を与えることが一層抑制されるようになる。また、ドライバがブレーキペダルを離すと、減速アシスト制御が終了するので、やはりドライバに違和感を与えることが抑制される。
【００５１】
なお、本発明は、上記実施形態に限定されるものではない。例えば上記実施形態では、減速アシスト制御の実行中に、ブレーキペダルが踏まれていない場合には、自車両が目標車速設定地点Ｐを通過したときに、減速アシスト制御を終了するものとしたが、自車両が目標車速設定地点Ｐを通過していなくても、アクセルペダルが踏まれた時点で、減速アシスト制御を終了するようにしても良い。
【００５２】
また、本実施形態は、自車両の減速アシスト制御に関する運転支援を行うものであるが、本発明の運転支援装置は、自車両の加速アシスト制御に関する運転支援を行うものにも適用可能である。
【符号の説明】
【００５３】
１…運転支援装置、２…アクセル開度センサ（操作検出手段）、３…ブレーキセンサ（操作検出手段）、４…ＧＰＳ受信機（車速設定手段）、５…車速センサ（車速検出手段）、７…ＥＣＵ、８…パラメータ演算部（車速設定手段）、９…制御モード判断部（制御手段）、１０…目標減速度演算部（制御量演算手段、変更回数決定手段）、１１…制駆動配分演算部（制御量演算手段）、１２…車両制御部（制御手段）、１３…地図データベース（車速設定手段、道路環境検出手段）。
【図１】
2011000952.tif 000004
【図２】
2011000952.tif 000005
【図３】
2011000952.tif 000006
【図４】
2011000952.tif 000007
【図５】
2011000952.tif 000008
【図６】
2011000952.tif 000009
【図７】
2011000952.tif 000010